Podtech/llm-jp-corpus-v4-ja_patent huggingface dataset:
(57)【要約】      （修正有）【課題】安定した巻きだしができ、又撚り癖により糸断面が変形するのを防止する。【解決手段】竿先からの、糸をスプ−ルに撚れる事なく巻くには、スプ−ル一周につき、糸一転の撚りが必要です。その為径の異なるロラ−の組合せにより、糸に撚りを掛け、スプ−ルに撚れる事無く巻く事が出来る。【選択図】図１
0003125575.tif 000002
【実用新案登録請求の範囲】
【請求項１】
本考案のラインロ−ラ−は異なる径のロ−ラ−を組合せ一体化し、その径の違いにより、それぞれの外周における速度が違い、その外周の速度差で撚りを掛ける事の出来る、特徴がある。
【請求項２】
上記［請求項１］に記した様に径の差により、得られる撚りは、径の差の比率により、自由な撚りの値が得られ、又同比率の周であっても摩擦材が糸に接する面の間隔を調整することによっても出来るので、巻く糸の径に合ったラインロ−ラ−が作れる。その為、ラインロ−ラ−の取り外しを簡単にしておけば、スプ−ルに巻く糸の径に合ったラインロ−ラ−との交換も出来る特徴もある。
【考案の詳細な説明】
【技術分野】
【０００１】本考案は、スピニングリ−ルのスプ−ルに、糸が撚れる事無く巻ける、ラインロ−に関するものである。
【技術背景】
【０００２】従来のスピニングリ−ルは、スプ−ルに糸が巻かれる時、巻かれた糸に撚りが掛かっていた。
【考案の開示】
【考案が解決しようとする課題】
【０００３】従来の、スピニングリ−ルのスプ−ルに、巻かれた糸に撚りが掛かっていた為に、糸の断面が変形し、劣化の原因にもなり、糸放出時に糸が絡まり、解すのに大変手間がかかり、しばしば糸を切らなければならない状況にもなっていた。その為、スプ−ルに巻かれる糸に撚りが、掛からず巻けるラインロラ−により、前述の欠点を、解決しようとするものである。
【課題を解決するための手段】
【０００４】スピニングリ−ルのスプ−ルに、糸が撚れることなく巻くには、スプ−ル一週につき糸一転の撚れが必要である。（右巻きの時は、糸も右撚り。左巻きの時は、糸も左撚り）本考案のラインロ−ラは、異なる径のロ−ラを組合せ一体化し、その径の違いにより、それぞれの外周における速度が違う、その外周の速度差で、撚りをかける事の出来るので、スプ−ルに撚れる事なくまけるのである。
【考案の効果】
【０００５】第１考案により、異なる径のロ−ラ−外周の速度差において、撚りをつける事が出来第２考案により、異なる径の比率により、撚りの値が変えられる、又同比率の周であっも摩擦材が糸に接する面の間隔を調整する事によっても出来る。その為、糸の径に合ったラインロ−ラ−を作ることが出来、又ラインロ−ラ−の取り外しを簡単に行なえる様にしておけば、糸の径に合ったラインロ−ラ−と交換出来る、非常に有能な考案である。尚撚られた撚りは糸先端の撚り戻しに伝わり解消する。
【考案を実施するための最良の形態】
【０００６】この考案の実施形態を、図を参照して要細に説明する。
図１は、釣りようスピニングリ−ルの全形を示すものです。
糸は、１２のスプ−ルに巻かれます。糸の端をスプ−ルに結び、１のラインロラ−に掛け１１のハンドルを廻すとラインロラ−の付いた１４ア−ムレバ−が、スプ−ルの周りをまわり、スプ−ルに糸を巻きつけていく仕組みになっています。糸とスプ−ルとの支点である、ラインロ−ラ−には糸の張力がかかり、摩擦が生じます。その摩擦を消すためラインロ−ラ−は回転自在でなければならない。【０００７】図２は考案のラインロ−ラ−の形態を示す横、断面図です。
２は回転する為の軸穴です。３、４、５、はロ−ラ−の径を示します。
糸をスプ−ルに巻く時、糸は常に３の位置を通過出来る様にスプ−ルからの距離を最短距離にする為、４〜３の間に図のような傾斜をつける。【０００８】図３はラインロ−ラ−に糸をかけ、糸に撚りを掛ける為の摩擦材の取り付け位置を示す図です。糸に撚りを掛ける為に必要な摩擦材７はロ−ラ−５の外周内部に取りつけ、竿からラインロ−ラ−に掛かった糸６の横面に接触する様、厚みを調整しなければならない。【０００９】図４は糸がスプ−ルに巻かれる時、糸が走る方向と、ラインロ−ラ−の回転方向と、糸が回転し撚れる様子を示す図です。
ア−ムレバ−が回転し糸が、スプ−ルに巻かれる時、糸は矢印ａの方向に走り、ラインロ−ラ−は矢印のｂ方向に回転をする。糸はラインロ−ラ−の径の小さな３の位置を通るので、３の外周の回転速度で走る。摩擦材は、径の大きな外周部に有るので、回転速度は３の外周速度より速い。したがって、摩擦材は糸の速度より速い為、糸の横面を擦り、糸は矢印ｃの方向に回転する。この回転で糸に撚りをかけるからスプ−ルには撚りがかからないで巻けるのです。
【図面の簡単な説明】
【００１０】
【図１】釣り用スピニングリ−ルの全形でラインロ−ラ−の位置を示す図である。
【図２】本考案のラインロ−ラ−の形状をしめす。
【図３】摩擦材の取りつけ位置を示す図である。
【図４】糸に撚りがかかる状況をしめす図である。
【符号の説明】
【００１１】１０・・  本体
１１・・  ハンドル
１２・・  スプ−ル
１３・・  ベ−ル
１４・・  ア−ムレバ−
１・・  ラインロ−ラ−
２・・  ラインロラ−の軸穴
３、４、５・・  ロ−ラ−の径
６・・  糸
７・・  摩擦材
ａ・・  糸の走る方向
ｂ・・  ラインロ−ラ−の回転方向
ｃ・・  糸が回転し撚れる方向
【図１】
0003125575.tif 000003
【図２】
0003125575.tif 000004
【図３】
0003125575.tif 000005
【図４】
0003125575.tif 000006
【手続補正書】
【提出日】平成18年6月16日(2006.6.16)
【手続補正１】
【補正対象書類名】実用新案登録請求の範囲
【補正対象項目名】全文
【補正方法】変更
【補正の内容】
【実用新案登録請求の範囲】
【請求項１】
本考案のラインローラーは傾斜のついたローラーと巾の薄い鍔状のローラーを組合せ一体化し、鍔状のローラー内側外周に添って摩擦材を装着したラインローラーである。
(57)【要約】      （修正有）【課題】抜毛、脱毛の原因とされる毛根の毛穴にたまる角栓様物質の洗浄において、超音波の波動を活用して頭髪毛根の毛穴にたまる角栓様物質や頭皮脂肪分を除去する装置を提供する。【解決手段】完璧に洗い落とす事が不可能とされた角栓様物質を超音波の波動と温水と専用洗剤を活用することで相乗作用により完璧に洗い落とす事を可能にした。【選択図】図１
0003125578.tif 000002
【実用新案登録請求の範囲】
【請求項１】
本考案は頭皮毛根部の毛穴にたまる角栓様物質を除去する為に超音波の波動を活用する事で容易に、かつ完璧に除去を可能にした事です。今まで手洗いでは角栓様物質の完全除去は困難でしたが専用洗剤を入れた温水で超音波の波動をかける事により細部までゆきわたり相乗作用で完全除去を可能にした角栓様物質除去操置。
【考案の詳細な説明】
【技術分野】
【０００１】  本考案は超音波の波動を活用して頭髪毛根の毛穴にたまる角栓様物質や頭皮脂肪分を除去することを目的としたもの。
【背景技術】
【０００２】  従来は医療や時計、貴金属、メガネレンズ等の洗浄が主でした。
【考案の開示】
【考案が解決しようとする課題】
【０００３】  手洗いでは毛穴にたまる頑固な角栓様物質や頭皮脂を完全に除去することが困難の為、抜毛、脱毛の原因の一部であった。
【課題が解決するための手段】
【０００４】  頑固な角栓様物質や頭皮脂も細部にまで行きわたる超音波の波動により乳化、溶解、し除去が可能。
【考案の効果】
【０００５】  容易に頑固な角栓様物質を除去することが可能となり、多くの人の毛髪に関する悩み解消となる。
【考案を実施するための最良の形態】
【実施例】
【０００６】  温水に専用洗剤を入れ頭部を数分間浸し頑固な角栓様物質や頭皮脂を乳化溶解し易い状態にします。次に電源を入れる。超音波の波動作用と専用洗剤の相乗効果により角栓様物質も頭皮脂も除去され毛穴が復帰します。３分経過後、タイマーの働きで電源が切れます。
【産業上の利用可能性】
【０００７】  頭髪関連事業は発毛、育毛、養毛から植毛、かつら業に至るまで多岐にわたります。当然、関連する美容院、理髪店はもとより頭髪料の化粧品メーカーや洗髪料の洗剤メーカー、場合によっては、薬品メーカーにも利用可能性があると思われます。最も必要としているのは一般人です。加齢者は勿論のこと老若男女を問わず、薄毛、脱毛、抜毛に関する悩み解消に役立ちます。
【図面の簡単な説明】
【０００８】
【図１】  本考案の角栓様物質除去操置の使用図、
【符号の説明】
１  超音波発生操置、
２  温水槽、
３  洗剤入温水
４  操作スイッチ
【図１】
0003125578.tif 000003
【手続補正書】
【提出日】平成18年6月14日(2006.6.14)
【手続補正１】
【補正対象書類名】実用新案登録請求の範囲
【補正対象項目名】全文
【補正方法】変更
【補正の内容】
【実用新案登録請求の範囲】
【請求項１】
温水槽（２）の下部に超音波発生装置（１）を備え、前記超音波発生装置（１）の横には操作スイッチ（４）を備えたことを特徴とする角栓様物質除去装置。
(57)【要約】      （修正有）【課題】睡眠時無呼吸防止と鼾軽減を目的とする。【解決手段】まずは、縦４０ｃｍ、横２７ｃｍ、厚さ１０ｃｍの布製のバッグを作り、その中にやや小さめのプラスチックのこぶ付きケースを入れる。就寝時にそのバッグを背中にあてがい、カラーテープに縫い込んだマジックテープで作ったベルトで以って、体と一体になるよう合体させる。そこで、横寝か伏せ寝をする事になるが、仰向け寝はバッグが壁の役目をしているので、なりにくいし、なったとしても一時的なものである。従って、そのことが鼾の軽減に大いに役立つ。今では、無呼吸は消え、軽めの鼾だけが残っている。そのバッグは、体が嫌がる程拘束はしないし、重量も５５０ｇで、手軽に取り扱いができる点からすると、この健康バッグは生涯使用可能である。【選択図】図３
0003125557.tif 000002
【実用新案登録請求の範囲】
【請求項１】
布製のバッグを作り、その中にやや小さめのこぶ付きプラスチックケースを入れる。そして寝る時に、そのバッグを背中にあてがい、図１のように下２つのカラーテープを胸より下の方で交差させ、上２つのカラーテープとそれぞれに縫い込んだマジックテープで以ってつなぎ合わせ図３のようにする。
【請求項２】
又、図４のようにランドセル風に背負って、胸よりやや下の方で両方のカラーテープを細くてやわらかい紐で調節して使う方法も含む。
【考案の詳細な説明】
【考案の詳細な説明】
【課題を解決するための手段】
【０００１】  尚、マジックテープで以って体とバッグとを適度にしめて一体感をもたせる。そこで、左右を下にしての横寝と伏せ寝をごく自然に繰り返すようになる。それに反して、仰向け寝はバッグが壁の役目をするのでなかなかなりにくい。
【考案の効果】
【０００２】  考案者は試作品を作り、図３のように１年と８ヶ月使用した。現在も使用中で、その結果無呼吸が消え、そして鼾も軽減した。
【図面の簡単な説明】
【図１】布製のバッグの立体図である。
【図２】プラスチック製のケースの立体図である。
【図３】バックを背中にあてがい、寝ている体位図である。
【図４】同じくランドセル風にあてがい寝ている体位図である。
【符号の説明】
１  布製のバッグ
２  カラーテープ
３  マジックテープ
４  ジッパー
５  プラスチックのケース
６  こぶ
７  枕（プラスチック製か木製）
【図１】
0003125557.tif 000003
【図２】
0003125557.tif 000004
【図３】
0003125557.tif 000005
【図４】
0003125557.tif 000006
【手続補正書】
【提出日】平成17年11月7日(2005.11.7)
【手続補正１】
【補正対象書類名】実用新案登録請求の範囲
【補正の内容】
0003125557.tif 000007
【手続補正書】
【提出日】平成18年3月15日(2006.3.15)
【手続補正１】
【補正対象書類名】実用新案登録請求の範囲
【補正対象項目名】全文
【補正方法】変更
【補正の内容】
【実用新案登録請求の範囲】
【請求項１】
布製のバッグの片面の四隅よりに縫込んだ四本のカラーテープをその先端から１０ｃｍのところまでそれぞれマジックテープ（登録商標）と縫い合わせ、そしてそのバッグの中にきっちり入るこぶ付プラスチックケースを入れる。
【手続補正書】
【提出日】平成18年3月20日(2006.3.20)
【手続補正１】
【補正対象書類名】図面
【補正対象項目名】図４
【補正方法】削除
【補正の内容】
【手続補正２】
【補正対象書類名】明細書
【補正対象項目名】全文
【補正方法】変更
【補正の内容】
【考案の詳細な説明】
【考案の詳細な説明】
【課題を解決するための手段】
【０００１】  マジックテープ（登録商標）で以って体とバッグとを適度にしめて一体感をもたせる。そこで、左右を下にしての横寝と伏せ寝をごく自然に繰り返すようになる。それに反して、仰向け寝はバッグが壁の役目をするのでなかなかなりにくい。
【考案の効果】
【０００２】  考案者は試作品を作り、図３のように１年と８ヶ月使用した。現在も使用中で、その結果無呼吸が消え、そして鼾も軽減した。
【図面の簡単な説明】
【０００３】
【図１】布製のバッグの立体図である。
【図２】プラスチック製のケースの立体図である。
【図３】バッグを背中にあてがい、寝ている立体図である。
【符号の説明】
【０００４】  １  布製のバッグ
２  カラーテープ
３  マジックテープ（登録商標）
４  ジッパー
５  プラスチックのケース
６  こぶ
７  枕（プラスチック製か木製）
【手続補正書】
【提出日】平成18年6月23日(2006.6.23)
【手続補正１】
【補正対象書類名】実用新案登録請求の範囲
【補正対象項目名】全文
【補正方法】変更
【補正の内容】
【実用新案登録請求の範囲】
【請求項１】
布製のバッグの片面の四隅よりに縫込んだ四本のカラーテープを、その先端から１０ｃｍのところまで、それぞれマジックテープ（登録商標）と縫い合わせ、そしてそのバッグの中にきっちり入るこぶ付プラスチックケースを備えた睡眠時無呼吸防止のための健康バッグ。
(57)【要約】      （修正有）【課題】スライド式ストッパー解除ボタンを押し、スライド式ストッパーを解除した状態でないと接続出来ないようにし、事前に注意を喚起しトラブルを回避する。【解決手段】スライド式ストッパー解除ボタン２を押す事により、ストッパー機構３が下部へ移動し外れるので、プラグを差し込むことによりスライド式ストッパーが内部に収納され接続が出来る。接続を外すことにより、スプリング７によりスライド式ストッパーが押され外にでると同時に、スプリング８によりストッパー機構が上部に上がりロックされる。【選択図】図２
0003125559.tif 000002
【実用新案登録請求の範囲】
【請求項１】
遊戯機器であるパチンコ台の電源は、ＡＣ２４Ｖを使用、接続器には汎用電源プラグを使用している、誤ってＡＣ１００Ｖに接続されトラブル発生の原因となる、トラブル回避の為にスライド式のストッパー機能を付け接続者に注意を喚起することを特徴とする遊戯機器専用ＡＣプラグである。
【考案の詳細な説明】
【技術分野】
【０００１】    本考案は遊戯機器ＡＣ２４Ｖ専用ＡＣプラグに関するものである。
【背景技術】
【０００２】    遊戯機器の電源プラグには主に汎用ＡＣ１００Ｖプラグが使用されている、遊戯器の接続器として片方の電極の角度をかえた遊戯器専用のプラグも販売されている。
【考案の開示】
【考案が解決しようとする課題】
【０００３】    遊技機器設置のホールではパチンコ台用ＡＣ２４Ｖ電源とＡＣ２４Ｖ電源に電力を供給するＡＣ１００Ｖ電源があるこの為にＡＣ１００Ｖ電源コンセントにパチンコ台用ＡＣ２４Ｖプラグを誤って接続しトラブルが発生しています。
【課題を解決しようとする手段】
【０００４】    本考案はＡＣプラグの電極と電極の間にスライド式ストッパーを付け、スライド式ストッパー解除ボタンを押しスライド式ストッパーを解除した状態で差し込まない限り接続不可能である。
【考案の効果】
【０００５】    スライド式ストッパー解除ボタンを押しスライド式ストッパー解除した状態でないと接続出来ないので事前に注意を喚起しトラブルの回避が出来る。
【考案を実施するための最良の形態】
【０００６】    汎用ＡＣプラグの電極と電極の間にスライド式ストッパーを付けスライド式ストッパー解除ボタンを押しスライド式ストッパーを解除しないと接続出来ない構造とする。
【実施例】
【０００７】    以下添付図面に従って実施例を説明する、２．スライド式ストッパー解除ボタンを押す事により  ３．ストッパー機構が下部へ移動し外れるのでプラグを差し込むことにより  １．スライド式ストッパーが内部に収納され接続が出来る。【０００８】    接続を外すことにより  ７．スプリングにより  １．スライド式ストッパーが押され外にでると同時に  ８．スプリングにより  ３．ストッパー機構が上部に上がりロックされる。
【図面の簡単な説明】
【０００９】
【図１】    ストッパー付きＡＣプラグ外観図
【図２】    図１のＡ−Ａ断面図
【符号の説明】
１．スライド式ストッパー
２．スライド式ストッパー解除ボタン
３．ストッパー機構
４．電極１
５．電極２
６．ＡＣコード
７．スプリング１
８．スプリング２
９．ＡＣコード
１０．樹脂ケース
【図１】
0003125559.tif 000003
【図２】
0003125559.tif 000004
【手続補正書】
【提出日】平成17年12月5日(2005.12.5)
【手続補正１】
【補正対象書類名】実用新案登録請求の範囲
【補正対象項目名】全文
【補正方法】変更
【補正の内容】
【実用新案登録請求の範囲】
【請求項１】
遊戯機であるパチンコ台の電源はＡＣ２４Ｖで接続器として汎用のＡＣ１００Ｖプラグが使用されといる、汎用プラグのＡＣ１００Ｖの電極と電極の間にコンセントに差し込む際に障害となるストッパーを取付ける、このストッパーは押しボタンを押すとスライド出来る構造とした、汎用プラグにストッパー機能を付ける事を特徴とするストッパー付きＡＣプラグである。
(57)【要約】      （修正有）【課題】扉が作る無駄なスペースが無くなり、高齢者や身体障害者の方が迂回または誰かに頼むなどせずに、自身で中の物などが取れる。また、リフォームなどで冷蔵庫を違う場所に移動したときなど、扉が作る無駄なスペースのことを考えずに、冷蔵庫の幅さえあればどこにでも置ける冷蔵庫を提供する。【解決手段】折れ戸式の構造のものを冷蔵庫の扉にと考えた。そして扉自身を冷蔵庫の中に入れてしまうという発想である。現在のタイプでは、すべて扉を開かなければ、大概の物は取れない。でも、これだと頻繁に取る物を扉の開く付近に置いておけば、その分だけで開ければ済むのである。そのため省エネの点でもメリットがある。【選択図】図１
0003125556.tif 000002
【実用新案登録請求の範囲】
【請求項１】
冷蔵庫の扉の開閉について。考案するタイプの物は、現在発売されている片開き戸、両開き戸、引き戸などとはまったく異なるタイプで、折れ戸式の扉を冷蔵庫内部（保冷室外に）収納するタイプである。
【請求項２】
収納式冷蔵庫の扉の構造上、折れ戸式に似たものである。
【請求項３】
収納式冷蔵庫の扉の密閉について。冷蔵庫の折れ戸式扉の開閉について閉じている状態の場合は扉の内側の上下に付いている磁石が冷蔵庫側の上下にも付けて有る電磁石との関係で密着状態で有り、開くときは扉の取ってを引く動作の際に自動的に冷蔵庫側の電磁石の反発で軽く開く様にする。
【考案の詳細な説明】
【技術分野】本考案は冷蔵庫の扉が作る無駄なスペースを解消するためものである。
【背景技術】現在発売されている冷蔵庫は、片方に開くタイプの片開き戸、両方に開けるタイプの両開き戸、引き出しタイプの引き戸等がある。
【考案の開示】
【考案が解決しようとする課題】現在発売されている冷蔵庫では、物を取るときに扉を全開にしてからしか取れない構造になっているが、これでは冷蔵庫の位置を考えて設置しなくてはいけない。
なぜなら、扉を手前に開ける分だけのスペースがどうしてもできてしまう。そのスペースがあるがために、高齢者や身体障害者の方などは冷蔵庫の中の物が取りにくいという状況が生まれる。このスペースが無くなれば、誰でも無理なく冷蔵庫の物が取れる。
【課題を解決するための手段】折れ戸式の扉を冷蔵庫の扉になるように考えた。そして、扉自身を冷蔵庫の中（保冷室外）に収納してしまう手段である
【考案の効果】扉がつくるスペースを消すことで場所の有効利用できる。冷蔵庫の幅さえあればどこにでも置ける。更に頻繁に取る物を扉の開く付近に置いておけば、扉を全開しなくても中の物が取れるので、庫内の冷却の点からみても少し開けるだけでいいので省エネにつながると考えられる。
【図面の簡単な説明】
【図１】どのような構造であるかを表した断面図である。
【図２】扉を開閉するときにどういうふうに収納されるかを表した断面図である。
【図３】全体を表した立体図である。
【図４】扉の構造を示した断面図である。
【符号の説明】
１…  保冷室内部
２…  電磁石
３…  磁石
【図１】
0003125556.tif 000003
【図２】
0003125556.tif 000004
【図３】
0003125556.tif 000005
【図４】
0003125556.tif 000006
【手続補正書】
【提出日】平成17年11月11日(2005.11.11)
【手続補正１】
【補正対象書類名】実用新案登録請求の範囲
【補正対象項目名】全文
【補正方法】変更
【補正の内容】
【実用新案登録請求の範囲】
【請求項１】
冷蔵庫の扉を折れ戸にし、冷蔵庫本体の横に収納部を設けた事を特徴とする冷蔵庫。
0003125556.tif 000007
0003125556.tif 000008
0003125556.tif 000009
【手続補正書】
【提出日】平成18年4月8日(2006.4.8)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】  本考案は冷蔵庫の扉が作る無駄なスペースを解消するためのものである。
【背景技術】
【０００２】  現在発売されている冷蔵庫は、片方に開くタイプの片開き戸、両方に開けるタイプの両開き戸、引き出しタイプの引き戸等がある。
【考案の開示】
【考案が解決しようとする課題】
【０００３】  現在発売されている冷蔵庫では、物を取るときに扉を全開にしてからしか取れない構造になっているが、これでは冷蔵庫の位置を考えて設置しなくてはいけない。
なぜなら、扉を手前に開ける分だけのスペースがどうしてもできてしまう。そのスペースがあるがために、高齢者や身体障害者の方などは冷蔵庫の中の物が取りにくいという状況が生まれる。このスペースが無くなれば、誰でも無理なく冷蔵庫の物が取れる。
【課題を解決するための手段】
【０００４】  折れ戸式の扉を冷蔵庫の扉になるように考えた。そして、扉自身を冷蔵庫の中（保冷室）に収納してしまう手段である。
【考案の効果】
【０００５】  扉がつくるスペースを消すことで場所の有効利用できる。冷蔵庫の幅さえあればどこでも置ける。更に頻繁に取る物を扉の開く付近に置いておけば、扉を全開しなくても中の物が取れるので、庫内の冷却の点からみても少し開けるだけでいいので省エネにつながると考えられる。
【図面の簡単な説明】
【０００６】
【図１】どのような構造であるかを表した断面である。
【図２】扉を開閉するときにどういうふうに収納されるかを表した断面図である。
【図３】全体を表した立体図である。
【図４】扉の構造を示した断面図である。
【符号の説明】
【０００７】  １  保冷庫の内部
２  折れ戸の収納スペース
３  冷蔵庫の上下の電磁石
４  折れ戸の上下内側の磁石
５  折れ戸が収納される様子
６  折れ戸の取っ手
【手続補正２】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
0003125556.tif 000010
【図２】
0003125556.tif 000011
【図３】
0003125556.tif 000012
【図４】
0003125556.tif 000013
(57)【要約】      （修正有）【課題】幼稚園や小学校の運動会等で、子供に贈る子供用記念メダルに関するものであって、子供が何時までも興味を持って愛用することができるものを提供する。【解決手段】上端にストラップ２の通し孔３を設けた枠体１内に、表裏両面の中央部に動物等の形状の異なる立体模様１０を膨出させた回転盤Ｋを回転自在に軸着する。枠体内に軸着した回転盤を反転させることにより、立体模様を変更して楽しむ事ができ、しかも、回転盤を高速で回転するときは、枠体の中央位置に虚像が現出するので、子供が何時までも興味を持って愛用することができる。【選択図】図１
0003125510.tif 000002
【実用新案登録請求の範囲】
【請求項１】
上端にストラップの通し孔を設けた枠体内に、表裏両面の中央部に動物等の形状の異なる立体模様を膨出させた回転盤を回転自在に軸着したことを特徴とする子供用記念メダル。
【考案の詳細な説明】
【技術分野】
【０００１】
本考案は、幼稚園とか小学校の運動会等で、子供に贈る子供用記念メダルに関するものである。
【背景技術】
【０００２】
幼稚園や小学校の運動会等において、子供達に贈与している記念メダルには、上端にストラップの通し孔を設けたメダル本体の前面に、子供の好む動物等のキャラクターを表現したものが広く使用されている。しかし、この種のものは従来から形状が殆ど同じであり、機能的にも何ら変わるところがないので、子供に十分な興味を持たせることができなかった。
【考案の開示】
【考案が解決しようとする課題】
【０００３】
本考案は、子供が何時までも興味を持って愛用することができる子供用記念メダルを提供しようとするものである。
【課題を解決するための手段】
【０００４】
上記の目的を達成するために、請求項１の考案は、上端にストラップの通し孔を設けた枠体内に、表裏両面の中央部に動物等の形状の異なる立体模様を膨出させた回転盤を回転自在に軸着したことを特徴としている。
【０００５】
上記請求項１の子供用記念メダルは、回転盤の表裏に表現した立体模様を違った模様にするとか、違った色彩を施すことにより、子供が記念品として身に付けるのみでなく、回転盤を反転させて立体模様を変更したり、回転盤を高速回転して回転盤の中央部に現出する虚像を眺め、楽しむものである。
【考案の効果】
【０００６】
本考案の子供用記念メダルは、枠体に設けた通し孔にストラップを通し、首に吊るして使用するものであるが、枠体内に軸着した回転盤を反転させることにより、立体模様を変更して楽しむことができる。
【０００７】
しかも、回転盤を高速で回転するときは、枠体の中央位置に虚像が現出するので、子供が何時までも興味を持って愛用することができる。
【考案を実施するための最良の形態】
【０００８】
以下、図１乃至図３を参照して、請求項１の考案の実施形態を詳述する。図１は子供用記念メダルの正面図であり、図２は同上背面図であり、図３は正面図におけるＡ−Ａ線の拡大縦断面図である。
【０００９】
図中の符号１はプラスチック製の枠体であり、上端にストラップ２の通し孔３を形成している。この枠体１の内面から上下一対の支軸４、５を突出している。符号Ｋは上記枠体１内に遊嵌したプラスチック製の回転盤であり、回転盤Ｋの上下に設けた軸受け部６，７を前記上下の支軸４，５に回転可能に嵌合している。
【００１０】
上記の回転盤Ｋは表板８と裏板９とよりなり、この表板８と裏板９は、表面に動物等の形状の異なる立体模様１０、１１を膨出し，裏面には凹部１２、１３を形成し、更に表板８と裏板９の対応面の上下に溝１４，１５を形成している。また凹部１２、１３内には、突起１６と嵌め込み穴１７を対設し、これを嵌着して前記溝１４，１５により軸受け部６，７を形成し、回転盤Ｋを構成している。尚、子供に興味を抱かせるために、上記表板８と裏板９の色、立体模様１０，１１の色彩を変更している。
【００１１】
上記実施形態における子供用記念メダルは、単に枠体１の通し孔３にストラップ２を挿し通して首に吊るすのみでなく、回転盤Ｋを反転させさせることにより、表側に現れる立体模様１０，１１をどちらかに変更することができる。また回転盤Ｋを高速で回転するときは、表裏両板８、９に表現した別の立体模様１０、１１により、枠体１の中央位置に虚像が現出するので、何時までも子供に興味を持たせ、愛用させることができる。
【００１２】
上記実施形態にあっては、枠体１内の上下に支軸４，５を設け、回転盤Ｋの上下に軸受け部６，７を設けて回転盤Ｋが左右方向に回転するように形成したが、支軸４，５及び軸受け部６，７を左右に設けて回転盤Ｋが上下方向に回転するように形成することもある。また上記実施形態とは反対に、回転盤Ｋを表裏一体に形成し、枠体１を表裏の枠を重ね合わせて形成し、回転盤Ｋに設けた上下の支軸を枠体に形成される軸受け部に回転可能に嵌合することもある。
【図面の簡単な説明】
【００１３】
【図１】本考案の実施形態を示す正面図である。
【図２】同上背面図である。
【図３】同上正面図におけるＡ−Ａ線の拡大縦断面図である。
【符号の説明】
【００１４】
１      枠  体
２      ストラップ
３      通し孔
４      支  軸
５      支  軸
６      軸受け部
７      軸受け部
８      表  板
９      裏  板
１０    立体模様
１１    立体模様
【図１】
0003125510.tif 000003
【図２】
0003125510.tif 000004
【図３】
0003125510.tif 000005
(57)【要約】【課題】  食器に関し、特に焼き物料理或は揚げ物料理において、出来立てのそれら料理を食器に盛り付け又は載置した時に起因するサクサク感及びこんがり感の劣化を防止し、更に料理固有の食感と旨味を引き立て、保持することを可能にする。【解決手段】  食器の内面に円すい又は角すい或は球状の複数の突起2、若しくは網目状の起伏を設け、盛り付け又は載置した料理を点で支持し、食器との接触面積を最小限に控え、同時に料理から発生した蒸気を突起2と突起2の間から食器外に排出すると共に残留した蒸気を突起2の表面で冷却し、水滴Sとして食器の底部に溜め、水分が料理に付着することを防止した。【選択図】図2
0003125501.tif 000002
【実用新案登録請求の範囲】
【請求項１】
陶器、紙器、ガラス器或は樹脂、木材、金属を加工、成形してなる皿又はトレー或は鉢の食器の内面に、円すい又は角すい或は球状の複数の突起、若しくは網目状の起伏を設けたことを特徴とする食器。
【考案の詳細な説明】
【技術分野】
【０００１】
本考案は食器に関し、特に焼き物料理或は揚げ物料理において、出来立てのそれら料理を食器に盛り付け又は載置した時に起因するサクサク感及びこんがり感の劣化の防止を図り、同時に料理が持つ固有の食感と旨味を引き立て、保持することを可能とした食器に関する。
【背景技術】
【０００２】
従来より作る料理の種類、内容に合せそれぞれに適した種々の食器が使用されて来た。それらは中身がこぼれず、盛り付けしやすく、そして食べやすいようにと、いろんな形や工夫がなされ、実に実用的で便利な道具であり、食生活にはかかせない存在となっている。
【考案の開示】
【考案が解決しようとする課題】
【０００３】
しかしながら従来の食器は、特にトーストのような焼き物、或は天ぷら及びカツレツのような揚げ物を食器に載置した場合、料理と食器との接触面に料理から発生した蒸気が水分となり付着することにより、料理の表面がふやけて軟化し、せっかくのサクサク感やこんがり感が失われている。更に野菜サラダやフルーツを付け合せとして盛り付けた場合、その水滴や果汁が料理に流れ、しみ込むことにより、一段と食感と風味が損なわれる。又、肉や魚等の洗料理のように、料理の下に氷を敷く場合、解け出した氷からの水に料理が浸り、旨味が逃げている。
【課題を解決するための手段】
【０００４】
以上の課題を解決するため本考案の取った手段を説明する。
【０００５】
本考案は食器の内面に、複数の突起又は起伏を設けることにより載置した料理を点で支持し、食器との接触面積を最小限に控え、同時に料理から発生した蒸気を突起と突起の間から食器外に排出し、更に残留した蒸気は突起の表面で冷却され、水滴となって食器の底部に溜められる。依って料理に水分が付着することはない。したがって料理が水分を含み、ふやけて軟化することを防止し、出来立ての料理の食感と旨味の維持を図ることができる。
【考案の効果】
【０００６】
請求項1により、食器の内面に複数の突起又は起伏を設けたことにより、特に焼き物料理或は揚げ物料理を食器に載置した時に起因するサクサク感及びこんがり感の劣化を防止し、料理固有の食感と旨味を引き立て、保持することができる。
【考案を実施するための最良の形態】
【０００７】
本考案の実施の形態を図面に基き説明する。
【実施例１】
【０００８】
図1は本考案の実施例である食器の平面図であり、図2はその上に焼きたてのトーストTを載置させ、付け合せBとして野菜サラダとフルーツを盛り付けた時の縦断面図である。食器は縦約200mm横約130mmの陶器のトレー1となっており、内面には直径約15mm、高さ約10mmの半球状の突起2を24個設けてある。今トーストTから発生した蒸気は、突起2と突起2の間を通り大部分がトレー1外に排出される。又、残った蒸気は水滴Sとなり、トレー1の底部に溜められトーストTに付着することはない。同様に付け合せBの野菜サラダやフルーツから出る水分及び果汁等もトレー1の底部に流れ、トーストTに付着することはない。したがってトーストTが水分を含み、ふやけて軟化することを防止し、サクサクとした焼き立てのこんがり感を味わうことができる。
【実施例２】
【０００９】
図3は小鉢4の縦断面図であり、小鉢4の底には砕いた氷Cを敷き詰めてある。その氷Cの上には薄切り肉をサッと湯がいて冷した、所謂冷しゃぶと呼ばれる料理Gを盛り付けてある。小鉢4はガラス製の円形でその大きさは直径約150mm、深さは約40mmとなっており、底部内面には直径約15mm、高さ約15mmの円すい状の突起3を25個設けてある。ここで徐々に解け出した氷Cからの水Wは、小鉢4の底部に流動し溜められるが、その量は突起3の頂点以下で位置するため、料理Gが水Wに浸り、旨味が流出することはない。
【図面の簡単な説明】
【００１０】
【図１】本考案の実施例である食器の平面図。
【図２】図1の縦断面図。
【図３】小鉢の縦断面図。
【符号の説明】
【００１１】
１  トレー
２  半球状の突起
３  円すい状の突起
４  小鉢
B  付け合せ
C  氷
G  料理
S  水滴
T  トースト
W  水
【図１】
0003125501.tif 000003
【図２】
0003125501.tif 000004
【図３】
0003125501.tif 000005
(57)【要約】      （修正有） 【課題】一枚のエプロンを身長の違う人たちが、長さを調整して使用することができるようにする。【解決手段】表面を防水層でコーティングした生地を用いて作られた作業用エプロンにおいて、エプロン本体１の裾部にファスナー２を取り付け、次にエプロン本体の裏側にもファスナー３を数箇所取り付けることによって、裾部を裏側へ折り返してファスナー２と３を連結したときに幅広いヘム部が形成され、幅広ヘム部７によりエプロン本体の長さを短く調整することができる。【選択図】図１
0003125581.tif 000002
【実用新案登録請求の範囲】
【請求項１】
表面を防水層でラミネートした生地を用いて作られた作業用エプロンにおいて、エプロン本体（１）の裾部にファスナー（２）を取り付け、又エプロン本体裏側の中段にファスナー（３）を数箇所取り付けることによって、裾部を裏側へ折り返しファスナーを連結したときに幅広いヘム部（７）が形成され、該幅広ヘム部（７）によってエプロン本体（１）の長さを短く調整することができることを特徴とする作業用エプロン。
【請求項２】
面ファスナーをファスナーの代わりに取り付けたことを特徴とする請求項１に記載のエプロン。
【請求項３】
エプロン本体に紐通し穴（５）を設け紐がずれ落ちない構造にしたことを特徴とする請求項１、２に記載のエプロン。
【考案の詳細な説明】
【技術分野】
【０００１】
この考案は、主として水場・浴場において使用する防水製エプロンに関する。
【背景技術】
【０００２】
エプロンは、古くから様々な形態のものが製作されている例えば実用新案登録第３１０３６１２号や第３０９３７３９号がある。
エプロンを数人で交代して利用する場所では、使用者の身長に合わせてサイズの異なるエプロンを用意しておかなければならない。介護施設では、特にグループで介助作業を実施する為に作業員の身長に合うようにサイズの異なるエプロンを多数用意するか、又は一人々専用のエプロンを準備しなければならない。或いは、使用者が身長に合わない長さのエプロンを我慢して使用しなければならなかった。
【特許文献１】実用新案登録第３１０３６１２号
【特許文献２】登録実用新案第３０９３７３９号
【考案の開示】
【考案が解決しようとする課題】
【０００３】
本考案は、エプロンの丈のサイズを変えることにより、使用者の身長の高い低いに関係なく着用できる水作業用エプロンを提供することを目的とする。
【課題を解決するための手段】
【０００４】
表面を防水層でコーティングした生地を用いて作られた作業用エプロン（１）において、エプロン本体の裾部にファスナー（２）を取り付け、又エプロン本体の裏側にもファスナー（３）を数箇所取り付けることによって、裾部を裏側へ折り返しファスナー（２）と（３）を連結したときに幅広いヘム部が形成され、該幅広ヘム部によりエプロン本体の長さを短く調整することができる。  
【考案の効果】
【０００５】
本考案は、上記の様な構成をなすもので、エプロンの裾に取り付けてあるファスナー（１）を裏面に取り付けてあるファスナー（３）のどれか一つと組み合わせ連結することによりヘム部の幅を選択でき、使用者の身長に合ったエプロンの長さに調整することが出来る。
【０００６】
製造・販売するときも１サイズで対応できる為、Ｓ．Ｍ．Ｌサイズなどの異なる製品を作る必要がなくなり、在庫管理も簡単になる。
【考案を実施するための最良の形態】
【０００７】
本考エプロンは、エプロン本体（１）の裾部にスライダー付きファスナー（２）を取り付け、又エプロン本体の裏側にも裾部と平行にファスナー（３）を２箇所取り付ける。
裾部ファスナー（２）を裏側へ折り返し、ファスナー（２）と（３）をスライダーで連結したときに幅広いヘム部が２種類形成することが出来、該幅広ヘム部によってエプロン本体（１）の長さを短く調整することを可能としたものである。
【実施例】
【０００８】
図面をもって説明する。第１図の様に先ず、エプロン本体（１）の裾部にスライダー付きファスナー（２）を取り付け、又エプロン本体の裏側にも裾部と平行にファスナー（３）を２箇所取り付ける。
第２図の様に裾部ファスナー（２）を裏側へ折り返し、ファスナー（２）と（３）をスライダーで連結する。折り返し連結することでエプロンの丈が折り返し部の半分だけ短くなる。
よって、ファスナーの連結位置により3種類の丈の長さに調整でき、使用者の希望するエプロン丈に変化させることが出来る。
【産業上の利用可能性】
【０００９】
本考案は、製造・販売するときも１サイズで対応できる為、Ｓ．Ｍ．Ｌサイズなどの異なる製品を作る必要がなくなるし、在庫管理も種類が減った分簡単になり、介護者、食品加工業や食品販売業、病院など水場・浴場での使用に最適な前掛部の長さを調整できるエプロンである。
【図面の簡単な説明】
【００１０】
【図１】本考案のエプロンの裏面からの平面図
【図２】本考案の使用状態を示す側面図
【符号の説明】
【００１１】
１ エプロン本体
２ スライダー付きファスナー
３ ファスナー
４ スライダー
５ 紐通し穴
６ 紐
７ ヘム部
【図１】
0003125581.tif 000003
【図２】
0003125581.tif 000004
(57)【要約】      （修正有）【課題】洗濯物の物干しスペースの限られた範囲内で、さらに多くの物干し可能な位置を提供すること【解決手段】平行面に配置されている２本の物干し竿の間を、直角に１本のポールでつなぐ。そのことにより、その位置に衣類ハンガーにかけた洗濯物を多数干すことが出来る。そのポールは容易に移動できるため、大型洗濯物を干す場合は既存の物干し竿に元通りの物干し範囲を確保することが出来、また本製品の使用時においても、問題なく物干し竿を使用することが出来る。【選択図】図１
0003125589.tif 000002
【実用新案登録請求の範囲】
【請求項１】
物干し竿２本の間にポールを使用し、そこに洗濯物を干すことの出来る日用器具 
【考案の詳細な説明】
【技術分野】
【０００１】日用品に関する
【背景技術】
【０００２】洗濯の物干しに関して、従来の物干し竿をベランダなどで並べてその位置に洗濯物を干すことが一般的になっている。         【特許文献１】なし
【考案の開示】
【考案が解決しようとする課題】
【０００３】既存の物干し竿の位置以外に、さらに多くの位置に洗濯物が干せるようにする。
【課題を解決するための手段】
【０００４】既存の物干し竿２本に対して、それらをつなぐポールを設置する。そのことで、２本の物干し竿を直角に結ぶ位置に、ハンガーにかけた洗濯物を多数干せることとなる。 
【考案の効果】
【０００５】既存の物干し竿のもつ長さは常に限界があって、その限られた位置の中で、さらに多くの洗濯物を干せるようになる。
【考案を実施するための最良の形態】
【０００６】衣類ハンガーをかけるフック部分と同形状のものを、左右２対にし、その間のポールを伸縮性のあるものとする。そのことにより、既存の２本の物干し竿両方にフックをかけた場合、物干し竿と直角になるその間に、同等な洗濯干し位置が出来る。現在において、ベランダに複数の物干し竿をセットしている場合、大多数はそれらが同じ高さで設置されており、それらを結んだ本考案のポールは、床面と平行な物干し位置として機能する。【０００７】ベランダに配置されている一般的な物干し竿用の設置具の大きさから、ポール１本に付き３０ｃｍ程度の物干し部が確保される。その部分に衣類を直接干すことは難しいが、衣類ハンガーならかなりの量を掛けることが可能である。 【０００８】ポールの長さを伸縮調整の出来るよう、中間に図１の３のような伸縮機構を付ける。設置する際、長さを合わせてしまえば、既存の物干し竿を取り外さない限り、このポールの長さを変化させる必要はなく、この伸縮機構にロックする機能は必要としない。そのため、本考案品の物干し竿への設置は、５秒以内という時間で可能になる。【０００９】既存の物干し竿に大型シーツなどを干す場合は、本ポールを横に動かすだけで、物干し竿にそのスペースが確保できる。また、３ｍから４ｍ程度の物干し竿の範囲に、本ポールは何個でも使用することが出来る。【００１０】なお、少数派になるが２本の物干し竿が違う高さになっている場合は、ポールにハンガーを掛けるための穴を配置することにより、まったく同じ使われ方が出来るようになる。
【実施例】
【００１１】図１が既存の物干し竿に対して本考案ポールを使用し、そこへ複数の衣類ハンガーを掛けた例である。
【産業上の利用可能性】
【００１２】非常に安値での供給が可能であり、格安雑貨店などで大量に流通する可能性がある。
【図面の簡単な説明】
【００１３】
【図１】ベランダに設置した物干し竿と、本考案品、そしてそれに掛けた空の衣類ハンガー３個を、上方から見た図である。１が本体フック部、２が伸縮ポール部、３がポール伸縮機構部である。
【図１】
0003125589.tif 000003
【手続補正書】
【提出日】平成18年6月9日(2006.6.9)
【手続補正１】
【補正対象書類名】実用新案登録請求の範囲
【補正対象項目名】全文
【補正方法】変更
【補正の内容】
【実用新案登録請求の範囲】
【請求項１】
平行に配置してある２本の既存の物干し竿に、直角に掛けるポール形状として、さらに多くの物干し位置を確保するハンガー製品
【手続補正書】
【提出日】平成18年7月3日(2006.7.3)
【手続補正１】
【補正対象書類名】実用新案登録請求の範囲
【補正対象項目名】全文
【補正方法】変更
【補正の内容】
【実用新案登録請求の範囲】
【請求項１】
平行に配置してある２本の既存の物干し竿の間の距離をポールでつなぐ目的で、衣類ハンガーのフック部分と同形状のものをポール端に左右２対配置することで、伸縮可能なポールに既存の物干し竿以外の物干し位置を確保するハンガー製品
(57)【要約】【課題】浴槽の底の排水口にゴム栓を差し込む時、今までは排水口まで手を伸ばして行なっていたため非常に苦痛を感じていたが、楽に排水口にゴム栓を差込むことのできる治具を提供する。【解決手段】パイプ（１）の端から端まで部分的に切り取って、浴槽に取付けてある鎖（５）をパイプ（１）内に出し入れするための溝（２）を形成し、このパイプ（１）の一方の先端を外側に少し広げて、前記鎖（５）に取付けてあるゴム栓（６）を、前記鎖（５）をパイプ（１）の溝（２）からパイプ（１）内に挿入した状態で、パイプ（１）の先に密着させる押さえ爪（３）を形成する。【選択図】図４
0003125586.tif 000002
【実用新案登録請求の範囲】
【請求項１】
浴槽の底の排水口にゴム栓を差込むための治具であって、パイプの端から端まで部分的に切り取って、浴槽に取付けてある鎖をパイプ内に出し入れするための溝を形成し、このパイプの一方の先端を外側に少し広げて、前記鎖に取付けてあるゴム栓を、前記鎖をパイプの溝からパイプ内に挿入した状態で、パイプの先に密着させる押さえ爪を形成してなることを特徴とする治具。
【考案の詳細な説明】
【技術分野】
【０００１】  本考案は、浴槽に取付けてある鎖とパイプを利用してゴム栓を浴槽の底の排水口に楽に差込めるようにした治具に関するものである。
【背景技術】
【０００２】  今までは、入浴するため浴槽に水を溜めようとする時、浴槽の底の排水口まで手を伸ばしてゴム栓を指先等を使って排水口に差込まなければならず、そのため非常に苦痛を感じていた（特に深い浴槽の場合）。また、お年寄りや身体の不自由な方または子供達にとっては危険でもあった。
【考案の開示】
【考案が解決しようとする課題】
【０００３】  しかしながら、従来は、浴槽の排水口にゴム栓をする時、簡単に又は楽に差込めるようなものはなかった。【０００４】  本考案は前記課題に鑑みてなされたもので、浴槽の底の排水口にゴム栓を簡単に又は楽に差込める治具を提供することを目的とする。
【課題を解決するための手段】
【０００５】  前記課題を達成するために、本考案に係る治具は、パイプの端から端まで部分的に切り取って、浴槽に取付けてある鎖をパイプ内に出し入れするための溝を形成し、このパイプの一方の先端を外側に少し広げて、前記鎖に取付けてあるゴム栓を、前記鎖をパイプの溝からパイプ内に挿入した状態でパイプの先に密着させる押さえ爪を形成してなることを特徴とする。【０００６】  たとえば、直径２０ｍｍのアルミのパイプ（１）を長さ５００ｍｍに切り、パイプ（１）の端から端まで幅５ｍｍに切り取り、溝（２）を形成する。このパイプ（１）の一方の先端を長さ５ｍｍの所まで四つ切にしてその先の方を外側に少し広げ、押さえ爪（３）を形成する。この治具を使用する時は、パイプ（１）の切取った溝（２）に、すでに浴槽に取付けてある鎖（５）を図４のように入れ、鎖（５）に取付けてあるゴム栓（６）をパイプ（１）の先の押さえ爪（３）に密着させて鎖（５）を引張ってゴム栓（６）を排水口（７）に差込み後、パイプ（１）を鎖（３）から取外して完了する。
【考案の効果】
【０００７】  本考案の治具によると、今までは入浴のため浴槽に水を溜めようとする時、排水口まで手を伸ばしてゴム栓を差込まなくてはならず非常に苦痛を感じていたが、このパイプを使用した治具を使うようになってから非常に楽になった。
【考案を実施するための最良の形態】
【０００８】  以下、本考案の一実施形態について、図面を参照して説明する。図１は本考案の治具に使用するアルミのパイプであり、図１のパイプ（１）を図２のように上から下まで５ｍｍの幅に切り取り、溝（２）を形成し、パイプ（１）の下から長さ５ｍｍの所まで四つ切にしてその先の方を外側に少し広げ押さえ爪（３）を形成する。【０００９】  図３のようにすでに浴槽（図示せず）に取付けてある鎖（５）を、図４のようにパイプ（１）の溝（２）からパイプ（１）内に入れ、鎖（５）を引張ってゴム栓（６）を押さえ爪（３）に密着させ、図５のように片手で鎖（５）をパイプ（１）に押さえながら、ゴム栓（６）を排水口（７）に差込み、その後、図６のように鎖（５）からパイプ（１）を取外して完了する。
【図面の簡単な説明】
【００１０】
【図１】アルミのパイプを長さ５００ｍｍに切った状態を示す図である。
【図２】パイプを上から下まで幅５ｍｍの溝を形成し、パイプの下から長さ５ｍｍの所まで４つ切にしてその先を外側に少し広げ押さえ爪を形成した図である。
【図３】既に浴槽に取付けてある鎖とゴム栓を示す図である。
【図４】浴槽に取付けてある鎖をパイプの溝からパイプ内に入れ、鎖を引張ってゴム栓を押さえ爪に密着させた状態を示す図である。
【図５】片手で鎖をパイプに押さえながら、ゴム栓を排水口に差込んだ状態を示す図である。
【図６】ゴム栓を排水口に差込んだ後、鎖からパイプを取外した状態を示す図である。
【符号の説明】
【００１１】（１）  アルミのパイプ
（２）  溝
（３）  押さえ爪
（４）  鎖を浴槽に取付けるリング
（５）  鎖
（６）  ゴム栓
（７）  排水口
【図１】
0003125586.tif 000003
【図２】
0003125586.tif 000004
【図３】
0003125586.tif 000005
【図４】
0003125586.tif 000006
【図５】
0003125586.tif 000007
【図６】
0003125586.tif 000008